(57)【要約】【課題】電気設備配線図から自動的に拾い書を作成する。【解決手段】電気設備配線図、ケーブル凡例設定表及び機器凡例設定表を作図し、ケーブル凡例設定表からケーブルリストを作表し、 機器凡例設定表から機器リストを作表し、電気設備配線図データからケーブルのデータを抽出し、配線系統番号順に、画層及びアトリビュートを記載したケーブル所要数量表を作表し、電気設備配線図のデータから機器のデータを抽出し、機器番号順に、その図形名を記載し機器所要数量表を作表し、次いでケーブル所要数量表のデータを読出し、ケーブルリストを参照し、各データに対応するケーブルの配線仕様を抽出し、当該データと共に拾い書の所定欄に記入し、更に、機器所要数量表のデータを読出し、機器リストを参照し、各データにそれぞれ対応する機器仕様を抽出し、拾い書の所定欄に記入し、拾い書を完成する。【選択図】  図２
2004206528.tif 000002
【特許請求の範囲】
【請求項１】
CAD及び作表ソフトを搭載したコンピューターを用いて、下記のステップを実行することを特徴とする電気設備配線図から拾い書のケーブルに係る部分を作成する方法。
(1) CADにより、配線の態様毎に異なった画層を用いて、平面電気設備配線図を作図するステップ。
(2) CADにより、ケーブル凡例設定表を作図し、少なくともケーブル凡例及びケーブル仕様を記入するステップ。
(3) ケーブル凡例設定表のデータを読出し、凡例毎に、条数、条数傍記、矢印記号及び配線仕様を一覧表形式で記載したケーブルリストを作表するステップ。
(4) 電気設備配線図のCADデータから配線に関するデータから、当該配線が作図されている画層、その配線に付けられたアトリビュート（条数及び条数傍記）及び所要長さに関するデータを抽出するステップ。
(5) 前項で抽出したデータについて、ケーブルリストを参照し、各データにそれぞれ対応するケーブルの配線仕様を抽出し、それらのデータを共に拾い書の所定欄に逐次記入するステップ。
【請求項２】
CAD及び作表ソフトを搭載したコンピューターを用いて、下記のステップを実行することを特徴とする電気設備配線図から拾い書のケーブルに係る部分を作成する方法。
(1) CADにより、配線の態様毎に異なった画層を用いて、平面電気設備配線図を作図するステップ。
(2) CADにより、ケーブル凡例設定表を作図し、ケーブル凡例及びケーブル仕様、並びに、配線端末に取り付けられる機器の名称及び取付高さを記入するステップ。
(3) ケーブル凡例設定表のデータを読出し、凡例毎に、条数、条数傍記、矢印記号及び配線仕様を一覧表形式で記載したケーブルリストを作表するステップ。
(4) 電気設備配線図のCADデータから配線に関するデータを抽出し、当該配線が作図されている画層、その配線に付けられたアトリビュート（条数及び条数傍記）及び所要長さを記載したケーブル所要数量表を作表するステップ。
(5) ケーブル所要数量表から順次データを読み出し、ケーブルリストを参照し、各データにそれぞれ対応するケーブルの配線仕様を抽出し、ケーブル所要数量表のデータと共に拾い書の所定欄に逐次記入するステップ。
【請求項３】
CAD及び作表ソフトを搭載したコンピューターを用いて、下記のステップを実行することを特徴とする電気設備配線図から拾い書を作成する方法。
(1) CADにより、配線の態様毎に異なった画層を用いて、平面電気設備配線図を作図するステップ。
(2) CADにより、ケーブル凡例設定表を作図し、ケーブル凡例及びケーブル仕様、並びに、配線端末に取り付けられる機器の名称及び取付高さを記入するステップ。
(3) CADにより、機器凡例設定表を作図し、機器凡例、機器名称、機器仕様及びその区分を記入するステップ。
(4) ケーブル凡例設定表のデータを読出し、凡例毎に、条数、条数傍記、矢印記号及び配線仕様を一覧表形式で記載したケーブルリストを作表するステップ。
(5) 機器凡例設定表のデータを読み出し、図形名、傍記、形式、機器仕様及び機器名称を一覧表形式で記載した機器リストを作成するするステップ。
(6) 電気設備配線図のCADデータから配線に関するデータを抽出し、当該配線が作図されている画層、その配線に付けられたアトリビュート（条数及び条数傍記）及び所要長さを記載したケーブル所要数量表を作表するステップ。
(7) 電気設備配線図のCADデータから機器に関するデータを抽出し、当該機器の図形名及びアトリビュート及び所要数量を記載した機器所要数量表を作表するステップ。
(8) ケーブル所要数量表から順次データを読み出し、ケーブルリストを参照し、各データにそれぞれ対応するケーブルの配線仕様を抽出し、ケーブル所要数量表のデータと共に拾い書の所定欄に逐次記入するステップ。
(9) 機器所要数量表から順次データを読み出し、機器リストを参照し、各データにそれぞれ対応する機器名称及び機器仕様を抽出し、機器所要数量表のデータと共に拾い書の所定欄に逐次記入するステップ。
【発明の詳細な説明】
【０００１】
【発明が属する技術分野】
本発明は、電気設備配線図から拾い書、特にその中のケーブルに係る部分を作成する方法に関する。
【０００２】
【従来の技術】
従来、電気設備配線図から拾い書を作成する場合、人手によって、電気設備配線図から各配線系統毎にケーブル及び機器の凡例を参照しつつケーブル及び機器のデータを拾い出し、ケーブルについては所要長を算出し、機器については所要数量を数え、得られたデータを順次拾い書に記入していた。
【０００３】
このため、拾い書の作成に多大の労務費が必要であり、かつ積算洩れや、二重記帳などの発生が不可避であるため、この業務の自動化が要請されていたが、今日まで、実用的なソフトウエアは提案はなされていなかった。
【０００４】
【発明が解決しようとする課題】
本発明は叙上の問題を解決するためになされたものであって、その目的とするところは、従来の電気設備配線図の形態及び設計方法を変更することなく、電気設備配線図から拾い書、特にその中のケーブルに係る部分を自動的に作成し得る方法、換言すれば、そのような方法を実行し得る実用的なコンピューターソフトウエアを提供することにある。
【０００５】
【課題を解決するための手段】
叙上の課題を解決するため、本発明により提供される第一の方法は、CAD及び作表ソフトを搭載したコンピューターを用いて、下記のステップを実行し、電気設備配線図から拾い書のケーブルに係る部分を自動的に作成することを特徴とするものである。
(1) CADにより、配線の態様毎に異なった画層を用いて、平面電気設備配線図を作図するステップ。
(2) CADにより、ケーブル凡例設定表を作図し、ケーブル凡例及びケーブル仕様を記入するステップ。
(3) ケーブル凡例設定表のデータを読出し、凡例毎に、条数、条数傍記、矢印記号及び配線仕様を一覧表形式で記載したケーブルリストを作表するステップ。
(4) 電気設備配線図のCADデータから配線に関するデータから、当該配線が作図されている画層、その配線に付けられたアトリビュート（条数及び条数傍記）及び所要長さに関するデータを抽出するステップ。
(5) 前項で抽出したデータについて、ケーブルリストを参照し、各データにそれぞれ対応するケーブルの配線仕様を抽出し、それらのデータを共に拾い書の所定欄に逐次記入するステップ。
【０００６】
而して、望ましい実施例においては、上記第４のステップにおいて抽出した当該配線が作図されている画層、その配線に付けられたアトリビュート（条数及び条数傍記）及び所要長さを一覧形式で記載したケーブル所要数量表を作表し、次いで、そのケーブル所要数量表から順次データを読み出し、ケーブルリストを参照し、各データにそれぞれ対応するケーブルの配線仕様を抽出し、ケーブル所要数量表のデータと共に拾い書の所定欄に逐次記入して、拾い書を作成するよう構成する。
【０００７】
本発明により提供される第二の方法は、CAD及び作表ソフトを搭載したコンピューターを用いて、下記のステップを実行し、電気設備配線図からケーブルのみでなく使用される機器を含め拾い書の所要事項全部を自動的に作成することを特徴とするものである。
(1) CADにより、配線の態様毎に異なった画層を用いて、平面電気設備配線図を作図するステップ。
(2) CADにより、ケーブル凡例設定表を作図し、ケーブル凡例及びケーブル仕様、並びに、配線端末に取り付けられる機器の名称及び取付高さを記入するステップ。
(3) CADにより、機器凡例設定表を作図し、機器凡例、機器名称、機器仕様及びその区分を記入するステップ。
(4) ケーブル凡例設定表のデータを読出し、凡例毎に、条数、条数傍記、矢印記号及び配線仕様を一覧表形式で記載したケーブルリストを作表するステップ。
(5) 機器凡例設定表のデータを読み出し、図形名、傍記、形式、機器仕様及び機器名称を一覧表形式で記載した機器リストを作成するするステップ。
(6) 電気設備配線図のCADデータから配線に関するデータを抽出し、当該配線が作図されている画層、その配線に付けられたアトリビュート（条数及び条数傍記）及び所要長さを記載したケーブル所要数量表を作表するステップ。
(7) 電気設備配線図のCADデータから機器に関するデータを抽出し、当該機器の図形名及びアトリビュート、所要数量を記載した機器所要数量表を作表するステップ。
(8) ケーブル所要数量表から順次データを読み出し、ケーブルリストを参照し、各データにそれぞれ対応するケーブルの配線仕様を抽出し、ケーブル所要数量表のデータと共に拾い書の所定欄に逐次記入するステップ。
(9) 機器所要数量表から順次データを読み出し、機器リストを参照し、各データにそれぞれ対応する機器名称及び機器仕様を抽出し、機器所要数量表のデータと共に拾い書の所定欄に逐次記入するステップ。
【０００８】
而して、この方法においても、ケーブル所要数量表及び／又は機器所要数量表を特別には作成せず、それぞれケーブルリスト及び機器リストを参照しつつ、CADデータから読み出した必要データとケーブルリスト及び機器リストから得たデータを直接、拾い書の所定欄に逐次記入することにより拾い書を完成することができる。
又、上記第一の方法で、拾い書にケーブルのみのデータを記入するようにした理由は、機器に関しては第二の方法として説明した方法以外に、さまざまな別法が考案できるためである。
【０００９】
本明細書において使用する技術用語の意味は、本段落に記載する以下の定義によるものとする。
(a) 拾い書：建設省建築工事積算基準による拾い出し表及びこれに準じる電気配線工事における所要資材積算表。
(b) ケーブル：工事に使用される電線及び／又は電線管。
(c) 配線：ケーブルが布設される経路。
(d) 機器：配線の端末に取り付けられる電気器具（照明器具、スイッチ、コンセント等）。
(e) 電気設備配線図：建物内の配線と機器の位置及び仕様を示す水平面投影図。
(f) 階高：建物の各階の床面から天井までの距離。
(g) 線種：CADによる配線の作図に使用される線の種類（実線、点線、破線、一点鎖線等の別）。当該配線が行なわれる場所及び態様〈例えば、実線：天井隠蔽配線、破線：床隠蔽配線、点線：天井露出配線、一点鎖線：天井ふところ内配線等〉により使い分けられる。
(h) ケーブル凡例：ケーブル凡例設定表に記載された、配線に用いる線種と、それに付記される記号及び傍記から成る図形。配線されるケーブルの布設場所及び配線の態様及び電線の仕様を示す。ケーブル凡例設定表により定義され、これにより配線の作図及び数量拾い出しが行なわれる。
(i) 条数記号：ケーブル凡例及び配線の作図の用いられる線に加筆される単数又は複数の短い斜線で、一般的には導線の本数を示すもの。
(j) 条数傍記：条数記号の傍に付記される文字又は記号で、電線の詳細な仕様を示すもの。
(k) ケーブルリスト：電気設備配線図において配線の表示に用いられる線種、条数記号、条数傍記及びそれに対応するケーブルの仕様を一覧形式で表示した表。この表のCADデータは、通常は表としてはプリンアウトトされないが、拾い書作成に用いられるデータを含む。
(l) ケーブル所要数量表：CADの配線データを総て読み出し、配線系統番号、配線が作図されている画層、アトリビュ−ト、及び、使用されるケーブルの水平方向及び鉛直方向長さを一覧形式で表示した表。
(m) 機器凡例：機器凡例設定表に記載された、使用される器具の種類を示す図形。機器凡例設定表により定義される。
(n) 図形名：機器凡例として示される図形に付けられる名称。
(o) 機器の区分：機器の種類。例えば照明器具、配線器具等の区分。
(p) 機器リスト：機器の図形名、図記号及びそれに対応する機器の一般名称、機器仕様及びアトリビュートを一覧形式で表示した表。
(q) 機器所要数量表：電気設備配線図のデータから機器に関するデータを抽出し、機器番号、機器名称、アトリビュート及び所要数量を一覧形式で表示した表。
【００１０ 】
尚、上記では、先ず、電気設備配線図を作図し、次いでケーブル凡例及び機器凡例を作図するよう説明したが、これらの作図順序は自由に変更でき、又、これらの凡例としては既存のものを利用できること当然であり、又、後のステップでは、先にケーブル凡例テーブルの処理を行い、後に機器凡例テーブルの処理を行うようにしたが、この順序は逆にしてもよいことも勿論である。
又、上記では、ケーブル所要数量表を作成し、ケーブルリストを参照しながら拾い書データを作成したが、ケーブルリストを参照しながら、電気設備配線図のCADデータから直接に拾い書データを作成することも可能である。
【００１１】
【発明の実施の形態】
【実施例】
以下図面により本発明の一実施例について説明する。
図1は、本発明方法が適用される建物の屋内配線の1例を示す見取図、
図2は、本発明方法により作図された、図1に示した建物の電気設備配線図、
図3は、図1に示した電気設備配線図と共に作図されるケーブル凡例設定表、
図4は、図3と同様に作図される機器凡例設定表、
図5は、本発明方法により図１に示した電気設備配線図等から得られる拾い書の一例、
図6は、図3に示したケーブル凡例設定表から作成されるケーブルリスト、
図7は、図４に示した機器凡例設定表から作成される機器リスト、
図8は、図2に示した電気設備配線図から抽出したデータに基づき、図６に示したケーブルリストを参照して作成されるケーブル所要数量表、
図9は、図2に示した電気設備配線図から抽出したデータに基づき、図７に示した機器リストを参照して作成される機器所要数量表、
図10は、図3に示したケーブル凡例設定表から図６に示したケーブルリストを得る過程を示すフローチャート、
図11は、図4に示した機器凡例設定表から図７に示す機器リストを得る過程を示すフローチャート、
図12は、図２に示した電気設備配線図のデータから図8に示したケーブル所要数量表及び図9に示した機器所要数量表を得る過程を示すフローチャート、
図13は、図８に示したケーブル所要数量表のデータを読出し、図６に示したケーブルリストのデータを参照して図5に示した拾い書に所要ケーブルのデータを記入する過程を示すフローチャート、
図14は、図9に示した機器所要数量表のデータを読出し、図7に示した機器リストのデータを参照して図5に示した拾い書に所要機器のデータを記入する過程を示すフローチャートである。
【００１２】
図1に示した電気設備配線図は、CAD、望ましくはGnCADで作図される。
この電気設備配線図は、実体布線図であり、配線1、2、3は、実際にケーブル及び／又は配管が布設される位置にケーブル凡例を用いて作図され、照明器具4、配線器具5、6、7等の電気機器も実際に配置される位置に機器凡例を用いて示されている。
又、ケーブルの布線図は、線種毎に異なった画層に作図され、電気機器も、必要に応じて異なった画層に作図されている。
望ましい実施例においては、天井隠蔽配線は実線で画層Aに作図され、床隠蔽配線は破線で画層Bに天井露出配線は点線で画層Cに、天井ふところ内配線は一点鎖線で画層Dに作図される。
【００１３】
本発明においては、この電気設備配線図と共に、図3に示したケーブル凡例設定表、及び、図４に示した機器凡例設定表が作図される。
本発明の目的は、例えば、この図1に示された電気設備配線図のCADデータ、図3に示したケーブル凡例設定表のデータ、及び、図４に示した機器凡例設定表のデータから、図5に示した「工事名：A社ビル新築工事（電灯コンセント設備）」の如き拾い書を自動的に作成することにある。
本発明方法を実施する前に、この拾い書は初期化され、工事名、図番、階別、階高、盤名称が入力される。
本発明方法は、この初期化された表の所定欄に、所要資材の名称、仕様必要数量を記入する方法に関するものである。
【００１４】
本発明方法を実施するには、先ず図3に示したケーブル凡例設定表のデータを、例えばdxfファイル形式に変換して出力し、総てのケーブル凡例に含まれているデータをピックアップし、図6に示すケーブルリストを作成する。
このケーブルリストには、各配線が作図される画層と、条数及び条数傍記（即ち、アトリビュート）及び、配線仕様が記載される。このケーブルリストは、予め作成されていたものを利用することができる。
【００１５】
図3に示したケーブル凡例設定表には、前述の通り、ケーブルの凡例と仕様、及び配線端末に取り付けられる機器の名称と取付高さが示されている。
ケーブルの凡例は、電気設備配線図中に用いられる描線の種類、即ち、実線、破線、点線、一点鎖線、などと、それらの線に加筆される短い斜線からなる条数記号、条数傍記及び矢印記号によって表示されている。
電気設備配線図では、ケーブルは、その凡例に示す線種毎に異なった画層に直線及び／又は曲線からなる配線図形として作図されており、その配線図形には、必要に応じ、アトリビュートとして、ケーブル凡例設定表に示された条数記号、条数傍記及び矢印が付記されている。そのため、電気設備配線図中の配線を示す線種は、ケーブルリスト中の画層の表示と1：1で対応するものとなる。
【００１６】
図4は、電気設備配線図で使用された機器凡例の設定表である。機器はそれぞれ電気設備配線図中に特定の図形、即ち機器凡例により表示されており、設定表中には機器の凡例、名称及び傍記が示されている。
【００１７】
図６は、ケーブルリストである。
このケーブルリストでは、各配線を示す線種の代わりに、その配線が作図される画層が示されており、所要のケーブルについては、条数及び条数傍記（即ち、アトリビュート）、及びケーブル仕様が記載されるようになっている。
【００１８】
図7に示す機器リストでは、機器凡例設定表では機器の記号で示された機器が、その機器の図記号名で示されており、機器の仕様は、傍記及び形式、即ち、アトリビュート、として記載されており、機器名称も付記されるようになっている。
【００１９】
図8に示したケーブル所要数量表は、図1に示した電気設備配線図のCADデータ中のケーブルに関する情報を抽出し、配線系統番号順に、それぞれのケーブルが作図された画層、アトリビュートをリストアップし、更にケーブルの長さを付記したものである。
ケーブルの平面配線図上の水平方向長さは、平面配線図のCADデータから計算され、立上り線の鉛直方向長さは、機器の取付高さ及び階高のデータから算出される。
【００２０】
図9に示した機器所要数量表は、図1に示した電気設備配線図のCADデータ中の機器を、機器番号順にリストアップし、それらの機器の記号（即ち、要素名）とアトリビュート（即ち、傍記）を記載し、作表したものである。
【００２１】
以下に、図5ないし図8に示した表を作成する手順を、フローチャートを用いて説明する。
図１０は、図３に示したケーブル凡例設定表から、図6に示したケーブルリストを得るためのフローチャートである。
ステップA1において図３に示したケーブル凡例設定表をCADにより作図する。
ステップA2で、ケーブル凡例設定表のデータを順次読み出しdxfファイルに変換し、順次、各行順に出力し、ステップA3において、出力されたデータを解析し、前述の変換を行い、ステップA4において所定のケーブルリストフォームにデータを転記し、ケーブルリストを完成する。
【００２２】
図１１は、図4に示した機器凡例テーブルから、図7に示した機器リストを得るためのフローチャートである。
ステップB1において図4に示した機器凡例設定表をCADにより作図する。
ステップB2で、機器凡例設定表のデータを順次読み出しdxfファイルに変換し、順次、各行順に出力し、ステップB3において、出力されたデータを解析し、前述の変換を行い、ステップB4において所定の機器リストフォームにデータを転記し、機器テーブルを得る。
【００２３】
図１２は、電気設備配線図のCADデータから、図7に示したケーブル所要数量表及び図８に示した機器所要数量表を得る手順を示すフローチャートである。
C1において作成された配線図データが、C２においてdxfファイルに変換され、配線番号順及び機器番号順に順次出力される。その出力データはC3において解析され、C4において配線データであるか否かがチェックさ、そのデータが、配線データであるときは、C5において図8に示したケーブル所要数量表に、然らざるときはC6において図9に示した機器所要数量表に転記され、これによりケーブル所要数量表及び機器所要数量表が得られる。
【００２４】
図13は、図8に示されたケーブル所要数量表のデータを順次読み出し、図6に示されたケーブルリストのデータを参照しつつ、それらのデータを拾い書の所定欄に転記し、拾い書を得るための手順を示すフローチャートである。
ステップS0においてプログラムがスタートすると、先ずステップS１で繰り返し回数カウンタ(以下、Cカウンタという。) がリセットされ、その表示値Cが1となる。
【００２５】
次に、ステップS2で、Cカウンタの数値Cと、ケーブル所要数量表のデータの総数Nとが比較され、C≦Nであるか否かがチェックされる。
C≦NがTRUEであると、ステップS3でケーブル所要数量表から、Cカウンタの表示値Cに等しい配線番号ｎ（即ち、ｎ＝C）のケーブルに係るデータが抽出される。
【００２６】
次いで、ステップS4で、ケーブルリストが参照され、上記により抽出されたケーブルに対応するデータが検索され、ステップS5でケーブル仕様データが抽出され、抽出されたデータは、ステップS6において、上記配線番号ｎのケーブルについて抽出されたデータと共に拾い書の所定欄に転記され、次いでステップS7においてCカウンタがインクリメントされ、ステップS1に戻る。
以下、上記同様のサイクルが、C=Nとなるまで繰り返され、C≦NがFALSEとなると、Ｓ8でこのルーチンは終了する。
【００２７】
図14は、図9に示された機器所要数量表のデータを読み出し、図7に示された機器リストのデータを参照しつつ、それらのデータを拾い書の所定欄に転記し、拾い書を得るための手順を示すフローチャートである。
ステップT0においてプログラムがスタートすると、先ずステップT１で繰り返し回数カウンタ(以下、Cカウンタという。) がリセットされ、その表示値Cが1となる。
【００２８】
次に、ステップ2で、Cカウンタの数値Cと、機器所要数量表のデータの総数Mが比較され、C≦Mであるか否かがチェックされる。
C≦MがTRUEであると、ステップT3で所要数量表から、Cカウンタの表示値Cに等しい機器番号m（即ち、m＝C）の機器に係るデータが抽出される。
【００２９】
次いで、ステップT4で、機器リストが参照され、上記により抽出された機器データに対応するデータが検索され、ステップT5で機器の名称とその仕様データが抽出され、抽出されたデータは、ステップT6において上記機器番号mの機器に係るデータと共に拾い書の所定欄に転記され、次いでステップT7においてCカウンタがインクリメントされ、ステップT1に戻る。
以下、上記同様のサイクルが、C=Mとなるまで繰り返され、C≦MがFALSEとなると、T8でこのルーチンは終了し、拾い書が完成する。
【発明の効果】
【００３０】
本発明は叙上の如く構成されるから、本発明によるときは電気設備配線図、ケーブル凡例テーブル及び機器凡例テーブルを作成した後は人手に頼ることなく、これらのデータに基づいて自動的に拾い書を作成することができるようになる。
【図面の簡単な説明】
【図1】本発明方法が適用される建物の屋内配線の1例を示す見取図、
【図2】本発明方法により作図された、図1に示した建物の電気設備配線図、
【図3】図1に示した電気設備配線図と共に作図される、ケーブル凡例設定表の一例を示す図、
【図4】図3と同様に作図される機器凡例設定表の一例を示す図
【図5】本発明方法により図１に示した電気設備配線図等から得られる拾い書の一例を示す図、
【図6】図3に示したケーブル凡例テーブルから作成されるケーブルリスト、
【図7】図４に示した機器凡例テーブルから作成される機器リスト、
【図8】図1に示した電気設備配線図から抽出したデータに基づいて作成されるケーブル所要数量表、
【図9】図2に示した電気設備配線図から抽出したデータに基づいて作成される機器所要数量表、
【図10】図3に示したケーブル凡例設定表から図６に示したケーブルリストを得る過程を示すフローチャート、
【図11】図4に示した機器凡例設定表から図７に示す機器リストを得る過程を示すフローチャート、
【図12】図２に示した電気設備配線図のデータから図8に示したケーブル所要数量表及び図9に示した機器所要数量表を得る過程を示すフローチャート、
【図13】図８に示したケーブル所要数量表のデータを読出し、図6に示したケーブルリストのデータを参照して図5に示した拾い書に所要ケーブルのデータを記入する過程を示すフローチャート、
【図14】図９に示した機器所要数量表のデータを読出し、図7に示した機器リストのデータを参照して図5に示した拾い書に所要機器のデータを記入する過程を示すフローチャートである。
【符号の説明】
1、2、3  配線
4、      照明器具
5、6、7  配線器具
【図１】
2004206528.tif 000003
【図２】
2004206528.tif 000004
【図３】
2004206528.tif 000005
【図４】
2004206528.tif 000006
【図５】
2004206528.tif 000007
【図６】
2004206528.tif 000008
【図７】
2004206528.tif 000009
【図８】
2004206528.tif 000010
【図９】
2004206528.tif 000011
【図１０】
2004206528.tif 000012
【図１１】
2004206528.tif 000013
【図１２】
2004206528.tif 000014
【図１３】
2004206528.tif 000015
【図１４】
2004206528.tif 000016